(57)【要約】本発明は、水上、雪上、砂上、芝生上および同様の地上スポーツ活動用の滑走用ボードに関するものであり、駆動モータ（１２）を備えた板状のボード本体（１１）を備え、自己保持される駆動モータ（１２）のためのタンク（１３）はボード本体（１１）の前方部分に一体化されることにより、広い領域の構造支持部として寄与するとともに、駆動モータ（１２）は滑走用ボード（１０）の移動方向を変えるために、ボード本体（１１）の後方部分に一体化され、また可動できるように設けられる。
2004528118.tif 000002
【特許請求の範囲】
【請求項１】
水上、雪上、砂上、芝生上および同様の地上スポーツ活動用の滑走用ボードであって、駆動モータ（１２）を備えた板状のボード本体（１１）を具備し、前記ボード本体（１１）用のタンク（１３）が、前記ボード本体（１１）の前方部分に一体化されることにより、広い領域の構造支持部として寄与するとともに、前記駆動モータ（１２）は前記滑走用ボード（１０）の移動方向を変えるために、前記ボード本体（１１）の後方部分に一体化され、また可動支持されることを特徴とする滑走用ボード。
【請求項２】
前記駆動モータ（１２）は、望ましくはターンテーブル（１６）を含む回転手段を介して前記ボード本体（１１）の内部に配置されることを特徴とする請求項１に記載の滑走用ボード。
【請求項３】
前記駆動モータ（１２）は、少なくとも所定通路に沿うように、特に制御用カムで移行するように前記ボード本体（１１）の内部に設けられることを特徴とする請求項１に記載の滑走用ボード。
【請求項４】
前記駆動モータ（１２）は、ローラまたは摺動部材をそれぞれ介して移動するように設けられることを特徴とする請求項１乃至３のいずれか１項に記載の滑走用ボード。
【請求項５】
前記タンク（１３）は、合成樹脂で作られ、カーボンファイバーを含むことを特徴とする請求項１乃至４のいずれか１項に記載の滑走用ボード。
【請求項６】
前記タンク（１３）は、液位計（２５）を具備することを特徴とする請求項１乃至５のいずれか１項に記載の滑走用ボード。
【請求項７】
前記液位計（２５）は、光学式または音響式のモードで作動することを特徴とする請求項６に記載の滑走用ボード。
【請求項８】
望ましくは無線制御手段(ブルートゥース要素)である遠隔制御装置（２０）が前記駆動モータ（１２）用に設けられたことを特徴とする請求項１乃至７のいずれか１項に記載の滑走用ボード。
【請求項９】
前記遠隔制御装置のために、スターターボタン（２３）と速度制御手段（２４）と吊手（２１）を有する把持部材（２２）を設けたことを特徴とする請求項８に記載の滑走用ボード。
【請求項１０】
前記駆動モータ（１２）は、前記タンク（１３）を圧縮空気溜め手段として有する圧縮空気モータとして構成されることを特徴とする請求項１乃至９のいずれか１項に記載の滑走用ボード。
【請求項１１】
水上、雪上、砂上、芝生上および同様の地上スポーツ活動用の滑走用ボードであって、圧縮空気溜めタンク（１３）と圧縮空気圧モータ（１２）とを具備する板状のボード本体を備えることを特徴とする滑走用ボード。
【請求項１２】
前記圧縮空気溜めタンク（１３）は、前記ボード本体の構造体に一体化されることで、広い領域の支持に寄与することを特徴とする請求項１１に記載の滑走用ボード。
【請求項１３】
前記圧縮空気溜めタンク（１３）は、前記ボード本体（１１）の前方部分に一体化されることを特徴とする請求項１１または１２に記載の滑走用ボード。
【請求項１４】
前記圧縮空気圧モータ（１２）は、前記ボード本体（１１）の後方部分に一体化されることを特徴とする請求項１１乃至１３のいずれか１項に記載の滑走用ボード。
【発明の詳細な説明】
【技術分野】
【０００１】
本発明は水上、雪上、砂上、芝生上および同様のスポーツ活動に用いられる滑走用ボードに関する。
【背景技術】
【０００２】
滑走のための各種ボードは、サーフィン用の帆無しのサーフボードや、雪上のスノーボードとして知られており、所謂立ち姿勢用ボードであって、これらに乗る人の動きに対応して運動するものであり、この上に立つスポーツマンにより波上、雪上、芝生上および砂上の傾斜面で使用される。この種の器具の難点として考慮されなければならない点として、波が海岸に打ち上げた段階で終わるか、または傾斜面あるいは砂丘の谷の下部に到達した時点で終わってしまうことから、滑走のための運動の持続時間が限られてしまうことが挙げられる。
【０００３】
本発明は、たとえ平坦な媒体上であっても、より長時間に渡る使用を可能にできるサーフボードまたはスノーボードと同様の種類の滑走用ボードを提供することを目的としている。
【０００４】
本発明によれば、上記の問題は請求項１に定義される特徴点を有する滑走用ボードによって解決される。本発明を改善する望ましい特徴点については、従属請求項から得られるより好都合な実施例から得ることができる。
【０００５】
本発明によると、運動選手が、場合により紐または綱を使用し、サーフボードまたはスノーボード上に乗るようにしたボード本体を備えた滑走用ボードが提供される。この滑走用ボードの推進力は、プロペラ式、ホイールまたはチェーン駆動のための駆動ジェットまたは回転駆動する駆動モータによって発生する。この駆動モータは平坦な構成を有し、滑走用ボード本体の後部部分に配置され、本発明によれば、滑走用ボードの動きの方向を変えることができるように支持される。
【０００６】
望ましくは、ボディーに統合される駆動モータを可動可能に支持するために、回転方向の停止機構を有するターンテーブルの形で提供される。代替手段によると、また駆動モータは、所定の動きの経路を介してボード本体の中に移動するように、特に少なくとも１つの制御カムに沿うローラまたは摺動部材上を移行するように構成されることになるであろう。この駆動モータの移動容易性は、滑走用ボードの動きの方向の変化によって便宜的に支持されるかまたは引き起こされるものであるが、これは滑走用ボード上に立っている人によって引き起こされる。
【０００７】
熟考されたタンクは、望ましくは合成物質で作られており、カーボンファイバーを含んでいる。この結果、高張力でありかつ滑走用ボード用の構造用部材として機能する形状に極めて容易に加工することができる。このタンクは、きわめて平らな形状に形成でき、また広い領域に配置することができるので、ボディーの厚みをできるだけ小さく保つことができ、外見上からはタンクの入り口部と、光学または音響式の液位計を除いては、タンクとして認識することはできないように内蔵することができる。
【０００８】
本発明のさらなる実施例によると、駆動モータの制御用、望ましくはスターターボタン、速度調整および吊手と無線操縦システム(携帯端末装置のブルートゥース、Bluetooth）の把持部分から成る遠隔操作装置を備える。
【０００９】
運転性のために、平らに構成される駆動モータは不可欠の新規性を有するように提供され、可能な限りボディーの後部部分に統合されている。望ましくは、この駆動モータは圧縮空気で動作する空気圧モータであり、タンクは圧縮された空気溜め手段として用いられる。空気圧モータの有する利点としてかなりの軽量と極度に小さい構成と、動作時に環境に優しいことが挙げられる。この空気圧モータとしては、対向する少なくとも２個のピストンを有する水平対向エンジン(boxer engine)が含まれるが、これは圧縮空気機関とも呼ばれるものであり、例えば、ピストンは３２立方ｃｍの球状圧縮室内において４００℃でおよそ２０気圧の空気を吸引し圧縮する。例えば、４０気圧の空気を圧縮する冷間起動において、タンクからこの球状圧縮室内に空気が注入されると、空気の突然の膨張により、第２のピストンに膨張が伝わりクランク軸に向かって押しつけられる。第１のピストンが第１の圧縮室で再び圧縮を引き起こしている間、空気は外部に通じる排気管を通して排気され、これ以降このサイクルを繰り返す。そして、駆動力は同時に回転するクランク軸から、ボード本体の底面の凹部または底面に設けられた駆動推進装置に伝達される。代替手段として、回転駆動力は駆動輪、ローラー、チェーンまたは同様の手段に対して作用するであろう。
【発明を実施するための最良の形態】
【００１０】
以下に、本発明の１つの実施例について添付図面を参照して詳細に説明する。
【００１１】
図１は、実施例の滑走用ボード１０を縦方向に破断して、模式的に示した断面図である。この滑走用ボード１０には、駆動モータ１２を設けた板状のボード本体１１が含まれる。この駆動モータ１２のためのタンク１３は、ボード本体１１の前面部分と一体化され、これにより本体の広い領域に渡る支持部分の形成に貢献し、タンクからは可撓性の可動パイプ１４、１５を通して駆動モータ１２に接続されている。
【００１２】
この実施例では、駆動モータは圧縮空気モータとして構成される一方、タンク１３は圧縮された空気溜めであって、駆動モータ１２に対して例えば圧縮された４０気圧の圧縮空気を制御して供給可能に構成される。
【００１３】
この駆動モータは、滑走用ボード１０の動きの方向変化に応じて可動となるように本体１１に対して可動できるように板の後部部分に支持される。図示される実施形態では、模式的に簡単に示したターンテーブル１６が駆動モータ１２の旋回を可能にするために駆動モータ１２に接続されており、さらにターンテーブルが停止位置まで旋回可能にする十分な長さを有する弾性管であるパイプ１４、１５が駆動モータに接続されている。また、このターンテーブル１６は駆動モータ１２に接続されない設計もある。ターンテーブルは平らな表面を形成するように滑走用ボード１０の表面に挿入されて滑らかな表面を形成する。この構成では、ユーザが足のひものあるなしにかかわらず、横方向に向けて立っている状態で、(風上側から風下側の角度１８０度まで)方向を変えることを可能にする。
【００１４】
参照数字１７は、排気パイプを概ね表しており、領域１８が図示しない駆動手段に対して提供されることで、駆動モータ１２によって駆動され、それぞれの滑走媒体上での滑走用ボードの推進に役立つことを示している。
【００１５】
図３に図示するように、タンクはそれ自体が広い面積の構造用部材としてボード本体１１の前面部分に一体化されることにより、構造体の補強部材として機能する。軽量であるために追加の補強部材が揚力に応じて設けられ、滑走用ボード１０が幅方向に延設される部分の傾きの安定性を確実にしている。またタンクの壁は、ボード本体１１の壁部と一体化される。このタンク１３には、孔明け加工された縦横のブレース部材が、ここでは図示しない方法で設けられて、安定性をさらに確保するとともに、タンク内へ空気を充分に充填することを可能にする。このタンク１３は、例えば滑走用ボード１０の左右縁部が異なった肉厚を持つように設計されることになるであろう。このタンク１３は望ましくは合成物質材料かアルミニウムから形成される。
【００１６】
図２は、吊手２１が把持部材２２に接続された構成の無線操縦システム２０(ブルートゥースの部品)の実施形態を図示している。この把持部材２２の上側にはスターターボタン２３が、また把持部材２２を握る圧縮力に反応する速度制御手段２４が図示のように設けられている。ブルートゥースの部品を介するか、またはケーブルケーブル付きの遠隔制御装置による代替手段を通して制御コマンドが駆動モータ１２に伝えられる。この制御目的のために、吊手２１との接続部分はアンテナとして機能してブルートゥースの部品に信号を送るか、または別のアンテナが設けられモータ１２の傍に設けられた受信機に対して制御信号を送り、不図示のアクチエータ手段により適宜モータ制御信号を送るように構成される。
【００１７】
この新規な滑走用ボードは、形状の面ではかなりの自由度を有しており、形状の形成如何では空気以外を内蔵しないタンクと、熟考された圧縮空気駆動システムとによりかなり軽量に構成でき、さらに参照番号２５で概ね示された液位インジケータの手段によりタンク１３の液面レベルを簡単にチェックできるようになるので、信頼性と安全性の面を満足できる設計を可能にできる。
【００１８】
そのうえ速度制御において、圧縮された状態の把持部材の把持が解除されると速度制御手段２４が自動的に駆動モータを停止するので、動作中におけるかなり高い安全性と信頼性を確保できるばかりか、タンク充填物の消耗を未然に防止できる。
【図面の簡単な説明】
【００１９】
【図１】は、本発明の滑走用ボードを縦方向に破断するとともに、模式的に示した断面図である。
【図２】は、駆動系統を制御する遠隔装置について模式的に示した図である。
【図３】は、図１の線III−IIIに沿って破断して示した断面図である。
【図１】
2004528118.tif 000003
【図２】
2004528118.tif 000004
【図３】
2004528118.tif 000005
【国際公開パンフレット】
2004528118.tif 000006
2004528118.tif 000007
2004528118.tif 000008
2004528118.tif 000009
2004528118.tif 000010
2004528118.tif 000011
2004528118.tif 000012
2004528118.tif 000013
2004528118.tif 000014
2004528118.tif 000015
【国際調査報告】
2004528118.tif 000016
2004528118.tif 000017
2004528118.tif 000018
2004528118.tif 000019
2004528118.tif 000020
2004528118.tif 000021